(57)【要約】      （修正有）【課題】取付容易なエレベータドア安全装置とその取付方法を得ること。【解決手段】三方枠６に囲まれた乗場出入口２を有する壁３を貫通した乗場ボタン５用開口部４を設け、三方枠６の第１の柱７に沿って長尺の投光部２２を設け、第２の柱８に沿って対応する長尺の受光部２０を設け、乗場ボタン５、投光部２２、受光部２０および制御盤を互いに接続する配線１５を、投光部２２あるいは受光部２０から三方枠６の梁部材９に沿って延ばし、乗場ボタン５用開口部４と投光部２２あるいは受光部２０との間の壁３に設けた切欠部を通し、乗りボタン５用開口部４を通して制御盤に接続したエレベータドア安全装置とその取付方法。【効果】取付が容易で確実である。【選択図】図１
2008213950.tif 000002
【特許請求の範囲】
【請求項１】
三方枠によって囲まれたエレベータの乗場出入口と、
上記乗場出入口を有する壁を貫通した開口部に設けられた乗場ボタンと、
上記三方枠の第１の柱に沿って配設された長尺の投光器を有する投光部と、
上記三方枠の第２の柱に沿って上記投光部と対向して配設された長尺の受光器を有する受光部と、
エレベータの運転制御をする制御盤と、
上記乗場ボタン、上記投光部、上記受光部および上記制御盤を互いに接続する配線と、
を備えたエレベータドア安全装置において、
上記配線は、上記投光部あるいは上記受光部から、上記三方枠の梁部材に沿って延びて、上記開口部と上記取付板との間の上記壁に設けた切欠部を通り、上記壁の上記開口部を通って上記制御盤に接続されてなることを特徴とするエレベータドア安全装置。
【請求項２】
上記投光部あるいは上記受光部は、上記壁の上記開口部に隣接し、上記第１あるいは第２の柱に沿って上記壁に取り付けられた取付板と、
上記取付板に支持された投光器あるいは受光器と、
上記取付板に支持されて上記投光器あるいは上記受光器を覆うカバーとを備えたことを特徴とする請求項１記載のエレベータドア安全装置。
【請求項３】
三方枠によって囲まれたエレベータの乗場出入口と、
上記乗場出入口を有する壁を貫通した開口部に設けられた乗場ボタンと、
上記三方枠の第１の柱に沿って配設された長尺の投光器を有する投光部と、
上記三方枠の第２の柱に沿って上記投光部と対向して配設された長尺の受光器を有する受光部と、
エレベータの運転制御をする制御盤と、
上記乗場ボタン、上記投光部、上記受光部および上記制御盤を互いに接続する配線と、
を備えたエレベータドア安全装置の取付方法において、
上記壁に、上記投光部あるいは上記受光部を取り付けるべき取付位置と上記開口部とを連通させる切欠部を設け、
上記投光部あるいは上記受光部からの配線は、上記三方枠の梁部材に沿って延ばし、上記切欠部を通り、上記壁の上記開口部を通って上記制御盤に配線し、
上記取付位置に上記投光部あるいは上記受光部を取り付け、上記切欠部を覆うことを特徴とするエレベータドア安全装置の取付方法。
【発明の詳細な説明】
【技術分野】
【０００１】
本発明はエレベータドア安全装置およびエレベータドア安全装置の取付方法に関するものである。
【背景技術】
【０００２】
従来のエレベータドア安全装置は一般に、特許文献１に記載されているように、エレベータのかごドアが開閉することで乗場ドアも開閉する係合装置をかごドア及び乗場ドアに設け、閉扉動作中にドア及びかごドア及び乗場ドアのいずれか一方に所定の力が加わると開扉する開扉制御装置を備えている。乗場ドア前方に設けられる三方枠の左右のいずれかの柱には、面一に設けられ所定間隔に複数個の投光体が配設された長尺投光部と、この長尺投光部と対向位置する柱に、面一に設けられ所定間隔に複数個の受光体が配設された長尺受光部とが設けられている。
【０００３】
このようなエレベータドア安全装置においては、乗場出入口の左右に複数本の光ビームによって隙間なく侵入物を検出し、また、三方枠の左右の柱に設けた長尺投光部及び、長尺受光部の芯出し調整は、長尺投光部及び長尺受光部を取付けた取付枠を所定位置に鉛直に立設させるだけで完了し、また、乗かごが到着して乗場ドアが開かない状態のとき、長尺受光部が、遮光を検出すると報知装置と開扉阻止制御装置を作動させ、注意放送と乗場ドアを開放させないようにしたもので、乗場ドア出入口部への侵入物の検出精度の向上及び、検出装置の取付け精度の向上が図れるとともに、乗客の指が、乗場ドア開時に、三方枠と乗場ドアに挟まるという事故が防止できる。
【０００４】
【特許文献１】特開平１０−３１６３４０号公報
【発明の開示】
【発明が解決しようとする課題】
【０００５】
このような従来のエレベータドア安全装置は、安全性が高い機能的に優れたものである。しかしながら、既存のエレベータに付加的にこのようなエレベータドア安全装置を取り付けようとする場合には、乗場側の出入口周辺の建物壁や三方枠に大掛かりな加工工事が必要である。特に、乗場の意匠によって、三方枠が小枠で構成されていて乗場側枠あるいは壁が建築側で大理石などで構成されているなどの場合には、建築側三方枠あるいは出入口周辺壁にセンサを固定するために配線用の穴を加工する必要がある。
【０００６】
このような加工は、乗場側の枠あるいは壁が割れたり折れたりして破損してしまう危険を伴うものである。大理石の仕上板が破損した場合、交換するには費用が掛かり、補修することは色合わせが困難で事実上不可能とも言える。このため取付の容易なエレベータドア安全装置の開発が望まれている。
【０００７】
従ってこの発明の目的は、取付が容易なエレベータドア安全装置およびその取付方法を提供することである。
【課題を解決するための手段】
【０００８】
この発明によれば、エレベータドア安全装置は、三方枠によって囲まれたエレベータの乗場出入口と、上記乗場出入口を有する壁を貫通した開口部に設けられた乗場ボタンと、上記三方枠の第１の柱に沿って配設された長尺の投光器を有する投光部と、上記三方枠の第２の柱に沿って上記投光部と対向して配設された長尺の受光器を有する受光部と、エレベータの運転制御をする制御盤と、上記乗場ボタン、上記投光部、上記受光部および上記制御盤を互いに接続する配線とを備えたエレベータドア安全装置において、上記配線は、上記投光部あるいは上記受光部から、上記三方枠の梁部材に沿って延びて、上記開口部と上記取付板との間の上記壁に設けた切欠部を通り、上記壁の上記開口部を通って上記制御盤に接続されてなることを特徴とするエレベータドア安全装置である。
【０００９】
上記投光部あるいは上記受光部は、上記壁の上記開口部に隣接し、上記第１あるいは第２の柱に沿って上記壁に取り付けられた取付板と、上記取付板に支持された投光器あるいは受光器と、上記取付板に支持されて上記投光器あるいは上記受光器を覆うカバーとを備えたものであってよい。
【００１０】
また、この発明によるエレベータドア安全装置の取付方法は、三方枠によって囲まれたエレベータの乗場出入口と、上記乗場出入口を有する壁を貫通した開口部に設けられた乗場ボタンと、上記三方枠の第１の柱に沿って配設された長尺の投光器を有する投光部と、上記三方枠の第２の柱に沿って上記投光部と対向して配設された長尺の受光器を有する受光部と、エレベータの運転制御をする制御盤と、上記乗場ボタン、上記投光部、上記受光部および上記制御盤を互いに接続する配線とを備えたエレベータドア安全装置の取付方法において、上記壁に、上記投光部あるいは上記受光部を取り付けるべき取付位置と上記開口部とを連通させる切欠部を設け、上記投光部あるいは上記受光部からの配線は、上記三方枠の梁部材に沿って延ばし、上記切欠部を通り、上記壁の上記開口部を通って上記制御盤に配線し、上記取付位置に上記投光部あるいは上記受光部を取り付け、上記切欠部を覆うことを特徴とするエレベータドア安全装置の取付方法である。
【発明の効果】
【００１１】
この発明のエレベータドア安全装置およびエレベータドア安全装置の取付方法によれば、エレベータドア安全装置の取付が容易で確実である。
【発明を実施するための最良の形態】
【００１２】
実施の形態１．
図１乃至図４にはこの発明のエレベータドア安全装置の一実施形態を示してある。図１において、エレベータドア安全装置は、乗場戸１によって開閉され、昇降路壁である建物の壁３に設けられたエレベータの乗場出入口２を備えたエレベータに用いるものである。壁３には壁３を貫通した開口部４に設けられた乗場ボタン５が設けられている。エレベータの乗場出入口２は三方枠６によって縁取られて形成されていて、三方枠６は、両側に配置された第１の柱７および第２の柱８と、これらの柱７、８間に連結されて乗場出入口２の頂縁を形成する梁部材９とを備えている。
【００１３】
図２は図１の線ＩＩ−ＩＩに沿った横断面図である。図２において、乗場戸１の背後にはかご戸１１を持つかご１２が移動する昇降路１３が設けられていて、昇降路１３内にはエレベータの運転に必要な制御盤１４が例えば機械室内に設けられている。建物の壁３に設けた乗場ボタン５はこの制御盤に配線１５によって接続されている。
【００１４】
建物の壁３は、図示の例では、表面には仕上材１２が貼り付けられていて、その上には大理石等の化粧板１６が貼り付けてある。乗場出入口２の化粧板１６の縁部には三方枠６が取り付けられている。三方枠６の第１および第２の柱７および８と梁部材９とは、それぞれ化粧板１６に取り付けられた大理石等の建築三方枠１７と、建築三方枠１７の内側に取り付けられた大理石等の小枠三方枠１８とで構成されている。このような建物に据付けられたエレベータにおいては、乗場出入口２周辺の意匠が極めて重要であり、既存のエレベータに乗客の接近を検出して、閉まるドアに乗客が挟まれないようにするエレベータドア安全装置を附加したり、あるいは既にある安全装置を改良したりする改修工事にあたってこの意匠を損ねないことが重要である。
【００１５】
この発明のエレベータドア安全装置は、エレベータの乗場出入口２を形成する三方枠６の第１の柱７に沿って建物の壁３の化粧板１６上に取り付けられ、複数個の受光体を有する長尺の受光器１９を持つ長尺の受光部２０と、三方枠６の第２の柱８に沿って建物の壁３の化粧板１６上に乗場出入口２を挟んで受光部２０と対向して配設されて、複数個の投光体を有する長尺の投光器２１を持つ長尺の投光部２２とを備えている。
【００１６】
受光部２０および投光部２２を取付配線するためには、乗場ボタン５を受け入れて配線するために建物の壁３に設けられている貫通した開口部４を利用し、エレベータドア安全装置の配線のために必要な建物側の加工をできるだけ僅かで容易なものとすることにより、建物の壁３の特に高価で補修の困難な仕上げの化粧板１６の汚損を防ぐことができる。このために、建物の壁３に、受光部２０を取り付けるべき取付位置と乗場ボタン５用の開口部４とを連通させる切欠部２３を設ける。図示の例では、この切欠部２３は化粧板１６の厚さ分だけ除去された部分であり、開口部４の縁から受光部２０の取り付けられるべき範囲内に入り込むまでの長さで、配線１５が容易に実行できる程度の幅の部分である。壁３の開口部４内に乗場ボタン箱が設けてある場合には、同様の配線用切欠を乗場ボタン箱にも設ける必要がある。乗場ボタン５が投光部２２側にあるいは両側にある場合には、乗場ボタン５の開口部４に近い方の投光部２２あるいは受光部２０との間に切欠部２３を設けることもできる。
【００１７】
次に、図３および図４に示すように、受光部２０の取付位置、即ち建物の壁３に設けられて乗場ボタン５を収容する開口部４に隣接した位置であって、建物の壁３の化粧板１６上で、上述の切欠部２３の一端に配線ができる程度に重なった位置に、取付板２５をアンカーボルト２４等の適当な固着具により固着する。取付板２５は、三方枠６の第１の柱７の建築三方枠１７のほぼ全長に沿って延びた断面形がほぼＬ字型の長尺部材である。取付板２５には、壁３の切欠部２３に対応する位置に配線用の貫通穴２６が設けられている。
【００１８】
この取付板２５には多数の受光体を持つ長尺の受光器１９がボルト２７によって固着されるが、図示の例のように壁３と床との境界部分に巾木２８が設けられているような場合には、取付板２５と受光器１９との間にスペーサ２９を挿入して高さ調整をすることもできる。また、この場合に図３に寸法Ｂで示す部分が不必要あるいは好ましくない場合にはこの部分を切除することもできる。
【００１９】
受光器１９からの配線１５は取付板２５に沿って這わせ、貫通穴２６を通して壁３の切欠部２３内に入れ、切欠部２３を通して乗場ボタン５用の開口部４内に入れて配線する。開口部４内にいれた配線は乗場ボタン５の配線と同様にして制御盤１４に接続される。
【００２０】
投光部２２についても先ず取付板２５と同様でよいが左右対称の取付板３５を、三方枠６の乗場出入口２の反対側の第２の柱８の近くの位置で建物の壁３の化粧板１６上に取付る。この取付板３５は配線用の貫通穴２６は必要ではない。また乗場ボタン５が近くにある場合でも、こちら側の乗場ボタン５用の開口部に関連させる必要は無い。取付板２５の取付、投光器２１の取付などは受光部２０と同様に行うことができる。
【００２１】
投光器２１からの配線１５は取付板３５から、三方枠６の梁部材９に沿って設けた配線カバー３１内を通って受光器１９側の取付板２５上に延ばされ、そこから降下して取付板２５の貫通穴２６と切欠部２３とを通って乗場ボタン用の開口部４内に配線され、他の配線と同様に制御盤１４に接続される。
【００２２】
受光部２０も投光部２２も取付板２５あるいは３５に支持されて受光器１９あるいは投光器２１を配線１５と共に覆うカバー３６および３７を備えている。カバー３６も３７も共に図３の寸法Ａの幅を持ち、取付板２５あるいは３５に取り付けられ、スリットを通して投光器２１からの光が受光器１９に到達するようにしてある。カバー３６とカバー３７は配線カバー３１によって互いに連結されていて、配線１５が露出しないようにされている。
【００２３】
以上の説明から明らかなように、乗場ボタン５、投光部２２、受光部２０および制御盤１４を接続する配線１５は、投光部２２あるいは受光部２０から、三方枠６の梁部材９の上方に設けた配線カバー３１内を通って、乗場ボタン５用の開口部４と受光部２０の取付板２５との間の壁３に設けた切欠部２３を通り、壁３の開口部４を通って制御盤１４に接続されている。
【００２４】
従って、この発明によれば、乗場側の出入口周辺の建物壁や三方枠に大掛かりな加工工事が不必要で、乗場側の枠あるいは壁が割れたり折れたりして破損してしまう危険が大きく低減され、特に既存のエレベータに対して取付が容易で確実なエレベータドア安全装置が得られた。
【００２５】
また、この発明のエレベータドア安全装置の取付方法によれば、エレベータドア安全装置の取付が容易で確実である。即ち、エレベータの乗場出入口２を有する壁３を貫通した開口部４に設けられた乗場ボタン５と、エレベータの乗場出入口２を形成する三方枠６の第１の柱７に沿って配設された長尺の投光器２１を有する長尺の投光部２２と、三方枠６の第２の柱８に沿って投光部２２と対向して配設された長尺の受光器１９を有する長尺の受光部２０と、エレベータの運転制御をする制御盤１４と、乗場ボタン５、投光部２２、受光部２０および制御盤１４を互いに接続する配線１５とを備えたエレベータドア安全装置の取付方法において、壁３に、投光部２２あるいは受光部２０を取り付けるべき取付位置と開口部４とを連通させる切欠部２３を設け、投光部２２あるいは受光部２０から、配線カバー３１を経由して、壁３の切欠部２３を通り、開口部４を通って制御盤１４に配線し、投光部２２あるいは受光部２０を取付位置に取り付け、切欠部２３を覆うというエレベータドア安全装置の取付方法も得られた。
【図面の簡単な説明】
【００２６】
【図１】この発明のエレベータドア安全装置の一実施形態を示す概略正面図である。
【図２】図１の線ＩＩ−ＩＩに沿った水平断面図である。
【図３】図１のエレベータドア安全装置の受光部をカバーを外した状態で示す部分概略正面図である。
【図４】図２のエレベータドア安全装置の受光部を拡大して示す部分概略断面図である。
【符号の説明】
【００２７】
２  乗場出入口、３  壁、４  開口部、５  乗場ボタン、６  三方枠、７  第１の柱、８  第２の柱、９  梁部材、１４  制御盤、１５  配線、１９  受光器、２０  受光部、２１  投光器、２２  投光部、２３  切欠部、２５  取付板、３６、３７  カバー。
【図１】
2008213950.tif 000003
【図２】
2008213950.tif 000004
【図３】
2008213950.tif 000005
【図４】
2008213950.tif 000006